(57)【特許請求の範囲】
【請求項１】
第一ユニット、及び第二ユニットを備え、
前記第二ユニットは、それぞれが上下方向に対して直交し、かつ互いに直交する第一方向及び第二方向のうち、前記第一方向に間隔を空けて配設された一対の第一ヒンジ部を介して前記第一ユニットに連結されて、前記第二ユニットの所定の端部側において前記第一方向と平行に延びる軸線を中心に閉位置と開位置との間で回動可能に構成され、前記閉位置にある場合には、前記第一ユニットの上側を覆う一方、前記開位置にある場合には、前記第一ユニットの上側から離間するように構成され、
前記第一ユニットは、
被記録媒体を支持可能な支持部と、
前記支持部から第一搬送経路に沿って搬送方向下流側へと被記録媒体を搬送可能に構成され、被記録媒体を前記第一搬送経路へ導入するための導入口は、前記第二ユニットの前記所定の端部側と同じ端部側にある前記第一ユニットの所定の端部側にあり、前記第一方向と平行に延びる軸線を中心に回動可能な供給ローラを有し、前記支持部に複数の被記録媒体がセットされた場合には前記供給ローラによって複数の被記録媒体を一枚ずつ搬送方向下流側へと搬送可能な第一搬送部と、
前記第一搬送部によって搬送される被記録媒体に対して画像を形成する画像形成部と
を備え、
前記支持部は、前記第一ユニットの前記所定の端部側において前記第一方向と平行に延びる軸線を中心に収納位置と使用位置との間で回動可能に構成され、前記収納位置にある場合には、前記導入口を閉鎖する一方、前記使用位置にある場合には、前記導入口を開放して被記録媒体を支持可能となるように構成され、さらに、前記支持部は、少なくとも前記収納位置にある場合に、前記一対の第一ヒンジ部間に挟まれる位置に配設され、
前記支持部は、前記収納位置と前記使用位置との間にある待避位置へと回動可能で、前記支持部が前記収納位置にある状態において、前記第二ユニットを前記閉位置から前記開位置へ回動させた場合には、前記第二ユニットが前記支持部に当接するのに伴って、前記支持部が前記収納位置から前記待避位置へと回動するように構成されている
画像処理装置。
【請求項２】
請求項１に記載の画像処理装置であって、
前記第一ユニットは、
前記第一ユニットの上側において読み取り対象物を支持可能な第一プラテンと、
前記第一プラテンに沿って移動しつつ前記読み取り対象物の画像を読み取り可能な読取部と
を有し、
前記第二ユニットは、前記閉位置にある場合に、前記読み取り対象物を前記第一プラテン側に向かって押圧する押圧部を有する
画像処理装置。
【請求項３】
請求項２に記載の画像処理装置であって、
前記第一ユニットは、
前記支持部、前記第一搬送部、及び前記画像形成部が配設された本体ユニットと、
前記第一プラテン、及び前記読取部が配設された読取ユニットと
を備え、
前記読取ユニットは、一対の第二ヒンジ部を介して前記本体ユニットに連結されて、前記読取ユニットの前記所定の端部側において前記第一方向と平行に延びる軸線を中心に第一位置と第二位置との間で回動可能に構成され、前記第一位置にある場合には、前記本体ユニットの上側を覆い、前記第二位置にある場合には、前記本体ユニットの上側から離間するように構成され、
前記読取ユニットの回動中心は、前記支持部の回動中心と同一軸線上に設けられている
画像処理装置。
【請求項４】
第一ユニット、及び第二ユニットを備え、
前記第二ユニットは、それぞれが上下方向に対して直交し、かつ互いに直交する第一方向及び第二方向のうち、前記第一方向に間隔を空けて配設された一対の第一ヒンジ部を介して前記第一ユニットに連結されて、前記第二ユニットの所定の端部側において前記第一方向と平行に延びる軸線を中心に閉位置と開位置との間で回動可能に構成され、前記閉位置にある場合には、前記第一ユニットの上側を覆う一方、前記開位置にある場合には、前記第一ユニットの上側から離間するように構成され、
前記第一ユニットは、
被記録媒体を支持可能な支持部と、
前記支持部から第一搬送経路に沿って搬送方向下流側へと被記録媒体を搬送可能に構成され、被記録媒体を前記第一搬送経路へ導入するための導入口は、前記第二ユニットの前記所定の端部側と同じ端部側にある前記第一ユニットの所定の端部側にあり、前記第一方向と平行に延びる軸線を中心に回動可能な供給ローラを有し、前記支持部に複数の被記録媒体がセットされた場合には前記供給ローラによって複数の被記録媒体を一枚ずつ搬送方向下流側へと搬送可能な第一搬送部と、
前記第一搬送部によって搬送される被記録媒体に対して画像を形成する画像形成部と
を備え、
前記支持部は、前記第一ユニットの前記所定の端部側において前記第一方向と平行に延びる軸線を中心に収納位置と使用位置との間で回動可能に構成され、前記収納位置にある場合には、前記導入口を閉鎖する一方、前記使用位置にある場合には、前記導入口を開放して被記録媒体を支持可能となるように構成され、さらに、前記支持部は、少なくとも前記収納位置にある場合に、前記一対の第一ヒンジ部間に挟まれる位置に配設され、
前記第一ユニットは、
前記第一ユニットの上側において読み取り対象物を支持可能な第一プラテンと、
前記第一プラテンに沿って移動しつつ前記読み取り対象物の画像を読み取り可能な読取部と
を有し、
前記第二ユニットは、前記閉位置にある場合に、前記読み取り対象物を前記第一プラテン側に向かって押圧する押圧部を有し、
前記第一ユニットは、
前記支持部、前記第一搬送部、及び前記画像形成部が配設された本体ユニットと、
前記第一プラテン、及び前記読取部が配設された読取ユニットと
を備え、
前記読取ユニットは、一対の第二ヒンジ部を介して前記本体ユニットに連結されて、前記第一ユニットの前記所定の端部側と同じ端部側にある前記読取ユニットの所定の端部側において前記第一方向と平行に延びる軸線を中心に第一位置と第二位置との間で回動可能に構成され、前記第一位置にある場合には、前記本体ユニットの上側を覆い、前記第二位置にある場合には、前記本体ユニットの上側から離間するように構成され、
前記読取ユニットの回動中心は、前記支持部の回動中心と同一軸線上に設けられている
画像処理装置。
【請求項５】
請求項２から請求項４のいずれか一項に記載の画像処理装置であって、
前記第二ユニットは、所定の第二搬送経路に沿ってシートを搬送可能な第二搬送部を有し、
前記第一ユニットは、前記第一ユニットの上側において、前記第二搬送部によって搬送されるシートが接触する第二プラテンを有し、
前記読取部は、前記第二プラテンに対向する位置へ移動可能で、前記第二プラテンに対向する位置で静止して前記第二搬送部によって搬送されるシートの画像を読み取り可能に構成されている
画像処理装置。
【請求項６】
請求項１から請求項５のいずれか一項に記載の画像処理装置であって、
前記第二方向に関し、前記第一ヒンジ部の回動中心の位置は、前記供給ローラの回動中心よりも前記第一ユニットの中央部から離間する方向にずれている
画像処理装置。
【請求項７】
請求項１から請求項６のいずれか一項に記載の画像処理装置であって、
前記第一ヒンジ部は、
前記第一ユニット側に形成された支柱保持部に挿し込まれて、上下方向へ変位可能な状態で保持される支柱部と、
前記支柱部に対して回動可能に取り付けられ、前記第二ユニット側に取り付けられて前記第二ユニットと一体に変位する回動部と
を有し、
前記第二方向に関し、前記支柱部の位置は、前記収納位置にある前記支持部の位置と重なる領域にある
画像処理装置。
【請求項８】
第一ユニット、及び第二ユニットを備え、
前記第二ユニットは、それぞれが上下方向に対して直交し、かつ互いに直交する第一方向及び第二方向のうち、前記第一方向に間隔を空けて配設された一対の第一ヒンジ部を介して前記第一ユニットに連結されて、前記第二ユニットの所定の端部側において前記第一方向と平行に延びる軸線を中心に閉位置と開位置との間で回動可能に構成され、前記閉位置にある場合には、前記第一ユニットの上側を覆う一方、前記開位置にある場合には、前記第一ユニットの上側から離間するように構成され、
前記第一ユニットは、
被記録媒体を支持可能な支持部と、
前記支持部から第一搬送経路に沿って搬送方向下流側へと被記録媒体を搬送可能に構成され、被記録媒体を前記第一搬送経路へ導入するための導入口は、前記第二ユニットの前記所定の端部側と同じ端部側にある前記第一ユニットの所定の端部側にあり、前記第一方向と平行に延びる軸線を中心に回動可能な供給ローラを有し、前記支持部に複数の被記録媒体がセットされた場合には前記供給ローラによって複数の被記録媒体を一枚ずつ搬送方向下流側へと搬送可能な第一搬送部と、
前記第一搬送部によって搬送される被記録媒体に対して画像を形成する画像形成部と
を備え、
前記支持部は、前記第一ユニットの前記所定の端部側において前記第一方向と平行に延びる軸線を中心に収納位置と使用位置との間で回動可能に構成され、前記収納位置にある場合には、前記導入口を閉鎖する一方、前記使用位置にある場合には、前記導入口を開放して被記録媒体を支持可能となるように構成され、さらに、前記支持部は、少なくとも前記収納位置にある場合に、前記一対の第一ヒンジ部間に挟まれる位置に配設され、
前記供給ローラは、ホルダに対して取り付けられて、前記第一方向と平行に延びる軸線を中心に回転可能に支持されており、
前記ホルダは、前記第一方向と平行に延びる軸線を中心に揺動可能に前記支持部に支持され、
前記第二方向に関し、前記ホルダの揺動中心の位置は、前記供給ローラの回動中心よりも前記第一ユニットの中央部から離間する方向にずれていて、かつ、前記第一ヒンジ部の回動中心の位置は、前記ホルダの揺動中心よりも前記第一ユニットの中央部から離間する方向にずれている
画像処理装置。
【発明の詳細な説明】
【技術分野】
【０００１】
本発明は、画像処理装置に関する。
【背景技術】
【０００２】
被記録媒体に画像を形成可能な画像形成部を有する画像処理装置において、装置の周壁側（例えば背面側。）から被記録媒体を供給可能に構成された装置が知られている（例えば、特許文献１参照。）。上記特許文献１に記載の画像処理装置（ＭＦＰ（１００））の場合、装置の背面側に被記録媒体用の支持部（縦置きトレイ（６０））が設けられ、この支持部に複数枚の被記録媒体をセット可能に構成されている。支持部にセットされた複数の被記録媒体は、装置背面側に設けられた給紙ローラ（７４）により、一枚ずつ画像形成部（１０）へと供給される。
【０００３】
また、上記特許文献１に記載の画像処理装置の場合、装置上部には画像読取部（２０）が設けられ、その下方に画像形成部が設けられている。画像読取部がフラットベッド方式のイメージスキャナである場合、画像読取部には原稿を支持可能なプラテンと、プラテンを覆う閉位置とプラテンから離間する開位置との間で回動可能なカバー部とが設けられる。このようなカバー部には、ＡＤＦ（Automatic Document Feeder；自動原稿送り装置）が組み込まれることもある。
【先行技術文献】
【特許文献】
【０００４】
【特許文献１】特開２０１５−００３８０１号公報
【発明の概要】
【発明が解決しようとする課題】
【０００５】
しかしながら、上記のようなカバー部が装置上面側に設けられ、更に装置背面側に被記録媒体用の支持部が設けられた装置には、以下のような問題がある。
まず、カバー部の奥行き方向寸法が同等な装置同士で比較する場合、被記録媒体用の支持部が設けられている装置は、支持部が設けられていない装置に比べ、装置全体としての奥行き方向寸法が大きくなる。そのため、装置が奥行き方向に大型化し、手狭な場所に装置を設置することが困難になる等の問題が生じる。
【０００６】
また、装置全体としての奥行き方向寸法が同等な装置同士で比較する場合、被記録媒体用の支持部が設けられている装置は、支持部が設けられていない装置に比べ、カバー部の奥行き方向寸法が小さくなる。そのため、利用者がカバー部を開位置に回動させて、プラテン上に原稿をセットする際、カバー部を同じ距離だけプラテンから離間させる場合でも、カバー部の奥行き方向寸法が小さい場合ほどカバー部をより大きな回動角で回動させなければならず、その分だけ操作性が悪くなる等の問題が生じる。
【０００７】
なお、カバー部の奥行き方向寸法を変えなくても、被記録媒体用の支持部の奥行き方向寸法を小さくすれば、その分だけ装置全体としての奥行き方向寸法を小さくすることは可能なので、カバー部の操作性低下を抑制しながら、装置の小型化を図ることができる。あるいは、装置全体としての奥行き方向寸法を変えなくても、被記録媒体用の支持部の奥行き方向寸法を小さくすれば、その分だけカバー部の奥行き方向寸法を大きくすることも可能なので、装置の大型化を抑制しながら、カバー部の操作性向上を図ることもできる。しかし、このように被記録媒体用の支持部の奥行き方向寸法を小さくすると、支持部にセット可能な被記録媒体の数量が少なくなり、多数枚の連続印刷を実施する際には給紙に手間がかかる、という別の問題を招く。
【０００８】
以上のような事情から、装置の周壁側に設けられた支持部に複数枚の被記録媒体をセット可能で、装置の小型化と装置上部構造を開閉する際の操作性向上とを両立させて実現することが容易な画像処理装置を提供することが望ましい。
【課題を解決するための手段】
【０００９】
以下に説明する画像処理装置は、第一ユニット、及び第二ユニットを備え、第二ユニットは、それぞれが上下方向に対して直交し、かつ互いに直交する第一方向及び第二方向のうち、第一方向に間隔を空けて配設された一対の第一ヒンジ部を介して第一ユニットに連結されて、第二ユニットの所定の端部側において第一方向と平行に延びる軸線を中心に閉位置と開位置との間で回動可能に構成され、閉位置にある場合には、第一ユニットの上側を覆う一方、開位置にある場合には、第一ユニットの上側から離間するように構成され、第一ユニットは、被記録媒体を支持可能な支持部と、支持部から第一搬送経路に沿って搬送方向下流側へと被記録媒体を搬送可能に構成され、被記録媒体を第一搬送経路へ導入するための導入口は第一ユニットの所定の端部側にあり、第一方向と平行に延びる軸線を中心に回動可能な供給ローラを有し、支持部に複数の被記録媒体がセットされた場合には供給ローラによって複数の被記録媒体を一枚ずつ搬送方向下流側へと搬送可能な第一搬送部と、第一搬送部によって搬送される被記録媒体に対して画像を形成する画像形成部とを備え、支持部は、第一ユニットの所定の端部側において第一方向と平行に延びる軸線を中心に収納位置と使用位置との間で回動可能に構成され、収納位置にある場合には、導入口を閉鎖する一方、使用位置にある場合には、導入口を開放して被記録媒体を支持可能となるように構成され、さらに、支持部は、少なくとも収納位置にある場合に、一対の第一ヒンジ部間に挟まれる位置に配設される。
【００１０】
このように構成された画像処理装置によれば、上述のような支持部が、少なくとも収納位置にある場合に、一対の第一ヒンジ部間に挟まれる位置に配設される。そのため、第一ヒンジ部と支持部の配設位置を、上述の第二方向についてオーバーラップさせることができる。したがって、第一ヒンジ部と支持部の配設範囲が第二方向についてオーバーラップしていない装置に比べ、画像処理装置の第二方向寸法を小さくし、装置の小型化を図ることができる。
【００１１】
あるいは、支持部を含む装置全体としての第二方向寸法が同等な装置同士で比較する場合、上述のように構成された画像処理装置であれば、第一ヒンジ部と支持部の配設範囲が第二方向についてオーバーラップしていない装置に比べ、第二ユニットの第二方向寸法を大きくすることができる。したがって、第二ユニットを所定の回動角だけ回動させた際に、第二ユニットをより大きく第一ユニットから離間させることができ、第二ユニットを回動させる際の操作性を向上させることができる。
【図面の簡単な説明】
【００１２】
【図１】図１は複合機の構成を示すブロック図である。
【図２】図２は読取ユニット及び第二ユニットの縦断面図である。
【図３】図３は第一ユニット及び第二ユニットの平面図である。
【図４】図４（Ａ）は図３中にＩＶＡ−ＩＶＡ線で示した切断箇所における第一ユニット及び第二ユニットの断面図である。図４（Ｂ）は図４（Ａ）においては閉位置にあった第二ユニットが開位置にある状態を示す断面図である。
【図５】図５は図４（Ａ）においては第一位置にあった読取ユニットが第二位置にある状態を示す断面図である。
【図６】図６は図４（Ａ）中に示したＶＩ部を拡大して示す断面図である。
【図７】図７（Ａ）は図３中にＶＩＩＡ−ＶＩＩＡ線で示した切断箇所における第一ユニット及び第二ユニットの断面図である。図７（Ｂ）は図７（Ａ）においては収納位置にあった支持部が使用位置にある状態を示す断面図である。
【図８】図８は図７（Ｂ）中に示したＶＩＩＩ部を拡大して示す断面図である。
【図９】図９は図７（Ａ）中に示したＩＸ部を拡大して示す断面図である。
【発明を実施するための形態】
【００１３】
次に、上述の画像処理装置について、例示的な実施形態を挙げて説明する。
［画像処理装置の構成］
［複合機の構成］
図１に示す複合機１は、上述の画像処理装置の一例に相当する構成を備えるものである。複合機１は、図１に示すように、第一ユニット１Ａ、及び第二ユニット１Ｂを備える。第一ユニット１Ａは、本体ユニット２、及び読取ユニット３を備える。本体ユニット２には、制御部１１、第一搬送部１２、画像形成部１３、及びＬＡＮ通信部１４等が配設されている。読取ユニット３には、第一イメージセンサ１５、イメージセンサ駆動部１６（これら第一イメージセンサ１５、及びイメージセンサ駆動部１６が本明細書でいう読取部の一例に相当。）、及び操作パネル１７等が配設されている。第二ユニット１Ｂには、第二イメージセンサ１８、及び第二搬送部１９等が配設されている。
【００１４】
制御部１１は、周知のＣＰＵ、ＲＯＭ、及びＲＡＭ等を備え、ＣＰＵがＲＯＭやＲＡＭに記憶された制御プログラムに従って所定の処理を実行することで、複合機１の各部を制御するための処理が実行される。
【００１５】
第一搬送部１２は、被記録媒体を第一搬送経路に沿って搬送方向下流側へと搬送可能に構成される。より詳しくは、第一搬送部１２は、モータ、第一搬送経路を規定する複数のローラ、モータからいくつかのローラへ動力を伝達する動力伝達部、及び複数のローラとともに第一搬送経路を規定するガイド部材等を備える。モータは、制御部１１に制御されて作動する。複数のローラのうち、いくつかのローラはモータから伝達される動力で回転駆動される。また、残りのローラは、回転駆動されるローラとの間に被記録媒体を挟み込む位置に配設され、回転駆動されるローラ又は搬送される被記録媒体に追従して回転する。ガイド部材は、例えば、回転駆動されるローラ間に配設され、ローラによって搬送されるシートを案内する。
【００１６】
画像形成部１３は、第一搬送部１２によって搬送される被記録媒体に対し、インクジェット方式で画像を形成可能に構成されている。より詳しくは、画像形成部１３は、インクを噴射する記録ヘッド、及び記録ヘッドを往復移動させるための駆動機構等を備える。なお、画像形成部１３は、電子写真方式で被記録媒体に画像を形成可能に構成されていてもよい。ＬＡＮ通信部１４は、無線ＬＡＮに対応した通信インターフェース装置、及び有線ＬＡＮに対応した通信インターフェース装置によって構成されている。
【００１７】
第一イメージセンサ１５は、一方向に配列された複数の読取素子を有するセンサであり、本実施形態においては、密着イメージセンサ（ＣＩＳ；Contact Image Sensor）が採用されている。イメージセンサ駆動部１６は、第一イメージセンサ１５が有する複数の読取素子の配列方向を主走査方向として、主走査方向に直交する副走査方向へ第一イメージセンサ１５を移動させるための構成である。
【００１８】
より詳しくは、図２に示すように、第一ユニット１Ａの上面側（すなわち、読取ユニット３の上面側。）には、透明な板状部材によって構成される第一プラテン２１及び第二プラテン２２が配設されている。第一プラテン２１及び第二プラテン２２の下方には、第一プラテン２１及び第二プラテン２２の下面と略平行に延在するガイドレール２３が設けられている。ガイドレール２３の上側には、ガイドレール２３に沿って往復移動可能なキャリッジ２４が配設され、第一イメージセンサ１５はキャリッジ２４に搭載されている。イメージセンサ駆動部１６は、モータ、キャリッジ２４、及びモータからキャリッジ２４へ動力を伝達する動力伝達部等によって構成される。
【００１９】
第一イメージセンサ１５は、第一プラテン２１の下面に沿って移動可能で、第一プラテン２１に沿って移動しながら第一プラテン２１の上面側にある読み取り対象物の画像を読み取ることができる。第二ユニット１Ｂの下面側には、読み取り対象物を第一プラテン２１側に向かって押圧する押圧部２０が設けられている。
【００２０】
操作パネル１７は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００２１】
第二イメージセンサ１８は、一方向に配列された複数の読取素子を有するセンサであり、本実施形態においてはＣＩＳが採用されている。第二搬送部１９は、ＡＤＦを構成する搬送部であり、画像の読み取り対象となるシートを所定の第二搬送経路に沿って搬送方向下流側へと搬送可能に構成される。より詳しくは、第二搬送部１９は、図２に示すように、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂ等を備える。
【００２２】
第一イメージセンサ１５は、第二プラテン２２に対向する位置へ移動可能で、第二プラテン２２に対向する位置で静止して、第二搬送部１９によって搬送されて第二プラテン２２に接触しつつ通過するシートの第一面の画像を読み取ることができる。第二イメージセンサ１８は、第三プラテン３１に対向する位置に配設されており、第二搬送部１９によって搬送されて第三プラテン３１に接触しつつ通過するシートの第二面の画像を読み取ることができる。
【００２３】
［第二ユニットの開閉機構、読取ユニットの開閉機構、及び支持部の詳細］
第二ユニット１Ｂは、図３に示すように、左右方向（本明細書でいう第一方向の一例に相当。以下同様。）に間隔を空けて配設された一対の第一ヒンジ部５１，５１を介して第一ユニット１Ａに連結されている。これにより、第二ユニット１Ｂは、第二ユニット１Ｂの後端側（本明細書でいう所定の端部側の一例に相当。）において左右方向と平行に延びる軸線Ｒ１を中心に回動可能に構成されている。
【００２４】
第二ユニット１Ｂが軸線Ｒ１を中心に回動することで、第二ユニット１Ｂは、図４（Ａ）に示す閉位置と、図４（Ｂ）に示す開位置との間で変位する。なお、図４（Ａ）及び図４（Ｂ）には、一方の第一ヒンジ部５１しか描かれていないが、他方の第一ヒンジ部５１もほぼ同形状で同機能の部材なので、図示を省略する。
【００２５】
第二ユニット１Ｂが閉位置にある場合、第二ユニット１Ｂは、第一ユニット１Ａの上側を覆う。この状態においては、第二ユニット１Ｂの下面側にある押圧部２０で、第一プラテン２１の上面にある読み取り対象物を、第一プラテン２１側に向かって押圧することができる。また、この状態においては、第二ユニット１Ｂに組み込まれたＡＤＦを使用することができ、第二搬送部１９によって搬送されるシートを第二プラテン２２に接触させることができる。
【００２６】
一方、第二ユニット１Ｂが開位置にある場合、第二ユニット１Ｂは、第一ユニット１Ａの上側から離間する。この状態においては、第一プラテン２１の上面に読み取り対象物をセットしたり、第一プラテン２１の上面にある読み取り対象物を取り除いたりすることができる。
【００２７】
読取ユニット３は、一対の第二ヒンジ部５２，５２を介して本体ユニット２に連結されている。これにより、読取ユニット３は、読取ユニット３の後端側（本明細書でいう所定の端部側の一例に相当。）において左右方向と平行に延びる軸線Ｒ２を中心に回動可能に構成されている。
【００２８】
読取ユニット３が軸線Ｒ２を中心に回動することで、読取ユニット３は、図４（Ａ）に示す第一位置と、図５に示す第二位置との間で変位する。読取ユニット３が第一位置にある場合、読取ユニット３は、本体ユニット２の上側を覆う。一方、読取ユニット３が第二位置にある場合、読取ユニット３は本体ユニット２の上側から離間する。
【００２９】
なお、読取ユニット３が第二位置にある場合には、本体ユニット２の上側にある開口（図示略。）を介して本体ユニット２の内部に配設された各部（例えば、画像形成部１３。）のメンテナンス（例えばジャム処理。）等を実施することができる。
【００３０】
一方の第二ヒンジ部５２は、一方の第一ヒンジ部５１のほぼ直下にある。また、図４（Ａ），図４（Ｂ），及び図５には、一方の第二ヒンジ部５２しか描かれていないが、他方の第二ヒンジ部５２は、他方の第一ヒンジ部５１のほぼ直下にある。そのため、これら一対の第二ヒンジ部５２，５２も、一対の第一ヒンジ部５１，５１と同様に、左右方向に間隔を空けて配設された状態にある。他方の第二ヒンジ部５２は、一方の第二ヒンジ部５２とほぼ同形状で同機能の部材なので、図示を省略する。
【００３１】
第一ヒンジ部５１は、図６に示すように、支柱部５１１と、回動部５１３とを有する。支柱部５１１は、第一ユニット１Ａ側に形成された支柱保持部５６に挿し込まれて、上下方向へ変位可能な状態で保持されている。回動部５１３は、支柱部５１１に対して回動可能に取り付けられ、第二ユニット１Ｂ側に取り付けられて第二ユニット１Ｂと一体に変位する。このような支柱部５１１を設けることにより、第一プラテン２１の上面に厚みのある読み取り対象物（例えば、ブック原稿。）をセットする場合には、第二ユニット１Ｂは、第一ヒンジ部５１，５１とともに上方へと変位し、厚みのある読み取り対象物を挟んだ状態で、第一プラテン２１を上方から覆うことができる。
【００３２】
第一ユニット１Ａの後端側（本明細書でいう所定の端部側の一例に相当。）には、図７（Ａ）、図７（Ｂ）、及び図８に示すように、被記録媒体を支持可能な支持部６１が配設されている。支持部６１は、第一ユニット１Ａの後端側において左右方向と平行に延びる軸線Ｒ２を中心に回動可能に構成されている。すなわち、本実施形態の場合、支持部６１と読取ユニット３は、回動中心が一致している（すなわち、同一の軸線Ｒ２上に回動中心がある。）。
【００３３】
支持部６１が軸線Ｒ２を中心に回動すると、支持部６１は、図７（Ａ）に示す収納位置と、図７（Ｂ）に示す使用位置との間で変位する。支持部６１が使用位置にある場合には、支持部６１に複数の被記録媒体をセットすることができる。上述の第一搬送部１２は、支持部６１から第一搬送経路に沿って搬送方向下流側へと被記録媒体を搬送可能に構成される。被記録媒体を第一搬送経路へ導入するための導入口６３は、第一ユニット１Ａの後端側にある。
【００３４】
導入口６３付近には、供給ローラ６５が配設されている。供給ローラ６５は、ホルダ６７に対して取り付けられ、左右方向と平行に延びる軸線Ｒ３を中心に回転可能に支持されている。ホルダ６７は、左右方向と平行に延びる軸線Ｒ４を中心に揺動可能に支持部６１に支持されている。そのため、供給ローラ６５は、軸線Ｒ３を中心に回転可能、かつ軸線Ｒ４を中心に揺動可能な状態にある。ホルダ６７には、駆動ギヤ６９１，６９２，６９３，６９４が取り付けられている。駆動ギヤ６９１の回転中心はホルダ６７の揺動中心（軸線Ｒ４）に一致し、駆動ギヤ６９４の回転中心は供給ローラ６５の回転中心（軸線Ｒ３）に一致している。
【００３５】
第一搬送部１２が作動して図示しないモータからの動力が駆動ギヤ６９１に伝達されると、駆動ギヤ６９１が回転駆動されるのに伴い、動力が駆動ギヤ６９２、及び駆動ギヤ６９３を介して駆動ギヤ６９４へと伝達される。供給ローラ６５は、駆動ギヤ６９４と一体に回転するように構成され、供給ローラ６５が回転駆動されると、支持部６１にセットされた被記録媒体が、図８中に破線で示す経路（第一搬送経路）に沿って搬送方向下流側へと搬送される。このとき、支持部６１に複数の被記録媒体がセットされていれば、複数の被記録媒体は一枚ずつ搬送方向下流側へと搬送される。図８中に破線で示した経路よりも搬送方向下流側には、上述の画像形成部１３等が配設されていて、被記録媒体に対して画像が形成される。なお、画像形成部１３の構造そのものは周知なので、これ以上の説明については省略する。
【００３６】
支持部６１が使用位置にある場合には、上述の導入口６３が開放され、利用者は被記録媒体を導入口６３に挿し込むかたちで、被記録媒体を支持部６１にセットすることができる。一方、支持部６１が収納位置にある場合には、図９に示すように、導入口６３は支持部６１によって閉鎖され、被記録媒体を支持部６１にセットすることができなくなる。
【００３７】
支持部６１が収納位置にある場合には、図３に示すように、支持部６１は、一対の第一ヒンジ部５１，５１間に挟まれる位置に配設される。これにより、第二ユニット１Ｂの後端７１，７１（すなわち、ヒンジ部５１を覆う外装部分）と支持部６１の後端７３は、面一に配設される。
【００３８】
ところで、本実施形態の場合、上述の通り、支持部６１と読取ユニット３は、同一の軸線Ｒ２上に回動中心がある。そのため、図５に示すように、読取ユニット３を第二位置に回動させる際、支持部６１を読取ユニット３と一体的に回動させることができる。また、支持部６１が収納位置にある状態において、第二ユニット１Ｂを閉位置から開位置へ回動させた場合には、第二ユニット１Ｂが支持部６１に当接する。ただし、第二ユニット１Ｂが支持部６１に当接するのに伴って、支持部６１は図４（Ａ）に示す収納位置から図４（Ｂ）に示す待避位置へと回動する。そのため、第二ユニット１Ｂが支持部６１に当接しても、支持部６１に対して第二ユニット１Ｂ側から過大な負荷がかかることはない。
【００３９】
また、図８及び図９に示すように、前後方向（本明細書でいう第二方向の一例に相当。以下同様。）に関し、第一ヒンジ部５１，５１の回動中心の位置Ｐ１は、供給ローラ６５の回動中心の位置Ｐ２よりも第一ユニット１Ａの中央部から離間する方向（すなわち、より後方。）にずれている。なお、供給ローラ６５の回動中心（軸線Ｒ３）の位置Ｐ２は、ホルダ６７の揺動に伴い、図８及び図９に示す位置よりも更に前方へ変位し得るが、その場合でも位置Ｐ１が位置Ｐ２よりも第一ユニット１Ａの中央部から離間する方向にずれていることには変わりがない。
【００４０】
また、図４及び図６に示すように、左右方向から見た場合、ヒンジ部５１の配設位置は、収納位置にある支持部６１の配設位置Ａ３と重なる領域にある。より詳しくは、ヒンジ部５１は、上述の通り、支柱部５１１と回動部５１３を有するが、支柱部５１１の配設位置Ａ１と収納位置にある支持部６１の配設位置Ａ３は、前後方向について重なる領域にある。また、回動部５１３の配設位置Ａ２と収納位置にある支持部６１の配設位置Ａ３も、前後方向について重なる領域にある。
【００４１】
［効果］
以上説明したような複合機１によれば、支持部６１が収納位置にある場合には、支持部６１が一対の第一ヒンジ部５１，５１間に挟まれる位置に配設される。そのため、第一ヒンジ部５１，５１と支持部６１の配設位置を、前後方向についてオーバーラップさせることができる。したがって、第一ヒンジ部５１，５１と支持部６１の配設範囲が前後方向についてオーバーラップしていない装置に比べ、複合機１の前後方向寸法を小さくし、装置の小型化を図ることができる。
【００４２】
あるいは、支持部６１を含む装置全体としての前後方向寸法が同等な装置同士で比較する場合、上述のように構成された複合機１であれば、第一ヒンジ部５１，５１と支持部６１の配設範囲が前後方向についてオーバーラップしていない装置に比べ、第二ユニット１Ｂの前後方向寸法を大きくすることができる。したがって、第二ユニット１Ｂを所定の回動角だけ回動させた際に、第二ユニット１Ｂをより大きく第一ユニット１Ａから離間させることができ、第二ユニット１Ｂを回動させる際の操作性を向上させることができる。
【００４３】
また、上記複合機１の場合、前後方向について、第一ヒンジ部５１，５１の回動中心（軸線Ｒ１）のある位置Ｐ１が、導入口６３付近にある供給ローラ６５の回動中心（軸線Ｒ３）のある位置Ｐ２よりも第一ユニット１Ａの中央部から離間する方向にずれている。そのため、第二ユニット１Ｂの回動中心が極めて後方に位置することになり、同じ角度だけ第二ユニット１Ｂを開放する場合を想定すると、第二ユニット１Ｂの回動中心が前方に位置する場合に比べ、第二ユニット１Ｂを大きく開くことができる。
【００４４】
また、上記複合機１の場合、第二ユニット１Ｂを閉位置から開位置へ回動させた場合に、第二ユニット１Ｂが支持部６１に当接すると、支持部６１が収納位置から待避位置へ回動する。したがって、支持部６１が回動することによって第二ユニット１Ｂとの干渉を避けることができるので、支持部６１の形状のみで第二ユニット１Ｂとの干渉を避けなくても済み、支持部６１の形状を設計する上での自由度を高めることができる。
【００４５】
また、上記複合機１の場合、読取ユニット３の回動中心は、支持部６１の回動中心と同一軸線（軸線Ｒ２）上に設けられているので、読取ユニット３を回動させる際に、支持部６１に余計な負荷をかけることなく、読取ユニット３と支持部６１を一体的に回動させることができる。
【００４６】
［他の実施形態］
以上、画像処理装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００４７】
例えば、上記実施形態では、第一ユニット１Ａが本体ユニット２と、本体ユニット２に対して回動可能な読取ユニット３とで構成されていたが、読取ユニット３を回動可能に構成するか否かは任意である。また、第一ユニット１Ａが本体ユニット２と読取ユニット３とで構成されるか否かも任意である。
【００４８】
その一方、上記実施形態のように、本体ユニット２と、本体ユニット２に対して回動可能な読取ユニット３と有し、更に読取ユニット３に対して回動可能な第二ユニット１Ｂを有する場合、読取ユニット３を第一ユニット１Ａの一部として扱うか否かも任意である。すなわち、上述の本体ユニット２相当の構成が本明細書でいう第一ユニットに相当する構成、上述の読取ユニット３相当の構成及び上述の第二ユニット１Ｂ相当の構成が本明細書でいう第二ユニットに相当する構成として、本発明を適用してもよい。
【００４９】
また、上記実施形態では、第二ユニット１ＢがＡＤＦとしての機能を備えていたが、第二ユニット１ＢがＡＤＦとしての機能を備えるか否かも任意である。すなわち、第二ユニット１Ｂは、フラットベッド方式のイメージスキャナが有するプラテンを覆うカバー部として構成されていてもよい。
【００５０】
あるいは、第一ユニット１Ａがフラットベッド方式のイメージスキャナとしての構成を備えるか否かも任意であり、画像形成部１３を収容する部分が第一ユニット１Ａで、画像形成部１３に対するメンテナンスを行う際に開かれるカバー部が第二ユニット１Ｂとなっていてもよい。すなわち、複合機１として構成されるか否かは任意であり、単機能のプリンタとして構成された装置に対し、本発明を適用してもよい。
【００５１】
［補足］
なお、以上説明した例示的な実施形態から、本明細書で説明した画像処理装置は、更に以下に挙げるような構成を備えていてもよいことが把握できる。
【００５２】
まず、本明細書で説明した画像処理装置において、第二方向に関し、第一ヒンジ部の回動中心の位置は、供給ローラの回動中心よりも第一ユニットの中央部から離間する方向にずれていてもよい。
【００５３】
このように構成された画像処理装置によれば、第一ヒンジ部の回動中心が、導入口付近にある供給ローラの回動中心よりも第一ユニットの中央部から離間する方向にずれているので、第二ユニットを大きく開くことができる。
【００５４】
また、本明細書で説明した画像処理装置において、第一ヒンジ部は、第一ユニット側に形成された支柱保持部に挿し込まれて、上下方向へ変位可能な状態で保持される支柱部と、支柱部に対して回動可能に取り付けられ、第二ユニット側に取り付けられて第二ユニットと一体に変位する回動部とを有し、第二方向に関し、支柱部の位置は、収納位置にある支持部の位置と重なる領域にあってもよい。
【００５５】
また、本明細書で説明した画像処理装置において、支持部は、収納位置と使用位置との間にある待避位置へと回動可能で、支持部が収納位置にある状態において、第二ユニットを閉位置から開位置へ回動させた場合には、第二ユニットが支持部に当接するのに伴って、支持部が収納位置から待避位置へと回動するように構成されていてもよい。
【００５６】
このように構成された画像処理装置によれば、第二ユニットを閉位置から開位置へ回動させた場合に、第二ユニットが支持部に当接すると、支持部が収納位置から待避位置へ回動する。したがって、支持部が回動することによって第二ユニットとの干渉を避けることができるので、支持部の形状のみで第二ユニットとの干渉を避けなくても済み、支持部の形状を設計する上での自由度を高めることができる。
【００５７】
また、本明細書で説明した画像処理装置において、第一ユニットは、第一ユニットの上側において読み取り対象物を支持可能な第一プラテンと、第一プラテンに沿って移動しつつ読み取り対象物の画像を読み取り可能な読取部とを有し、第二ユニットは、閉位置にある場合に、読み取り対象物を第一プラテン側に向かって押圧する押圧部を有してもよい。
【００５８】
また、本明細書で説明した画像処理装置において、第二ユニットは、所定の第二搬送経路に沿ってシートを搬送可能な第二搬送部を有し、第一ユニットは、第一ユニットの上側において、第二搬送部によって搬送されるシートが接触する第二プラテンを有し、読取部は、第二プラテンに対向する位置へ移動可能で、第二プラテンに対向する位置で静止して第二搬送部によって搬送されるシートの画像を読み取り可能に構成されていてもよい。
【００５９】
また、本明細書で説明した画像処理装置において、第一ユニットは、支持部、第一搬送部、及び画像形成部が配設された本体ユニットと、第一プラテン、及び読取部が配設された読取ユニットとを備え、読取ユニットは、一対の第二ヒンジ部を介して本体ユニットに連結されて、読取ユニットの所定の端部側において第一方向と平行に延びる軸線を中心に第一位置と第二位置との間で回動可能に構成され、第一位置にある場合には、本体ユニットの上側を覆い、第二位置にある場合には、本体ユニットの上側から離間するように構成され、読取ユニットの回動中心は、支持部の回動中心と同一軸線上に設けられていてもよい。
【００６０】
このように構成された画像処理装置によれば、読取ユニットを回動させる際に、支持部に余計な負荷をかけることなく、読取ユニットと支持部を一体的に回動させることができる。
【符号の説明】
【００６１】
１…複合機、１Ａ…第一ユニット、１Ｂ…第二ユニット、２…本体ユニット、３…読取ユニット、１１…制御部、１２…第一搬送部、１３…画像形成部、１４…ＬＡＮ通信部、１５…第一イメージセンサ、１６…イメージセンサ駆動部、１７…操作パネル、１８…第二イメージセンサ、１９…第二搬送部、２０…押圧部、２１…第一プラテン、２２…第二プラテン、２３…ガイドレール、２４…キャリッジ、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１…第三プラテン、５１…第一ヒンジ部、５１１…支柱部、５１３…回動部、５２…第二ヒンジ部、５６…支柱保持部、６１…支持部、６３…導入口、６５…供給ローラ、６７…ホルダ、６９１，６９２，６９３，６９４…駆動ギヤ、７１…第二ユニットの後端、７３…支持部の後端。
【図１】
0006503786.tif 000002
【図２】
0006503786.tif 000003
【図３】
0006503786.tif 000004
【図４】
0006503786.tif 000005
【図５】
0006503786.tif 000006
【図６】
0006503786.tif 000007
【図７】
0006503786.tif 000008
【図８】
0006503786.tif 000009
【図９】
0006503786.tif 000010